(57)【要約】【課題】操作履歴に基づいた複数コンテンツのダイジェスト再生時におけるダイジェスト再生情報生成の実現と、好適な使い勝手を実現することができるダイジェスト再生装置を提供する。【解決手段】ダイジェスト再生装置において、記憶部１０２と、ダイジェスト再生設定情報を受信する入力部１０１と、記憶部１０２に記憶されたユーザの操作履歴に基づいて、複数のコンテンツのそれぞれのダイジェスト再生情報を生成するダイジェスト再生情報生成部１０９と、ダイジェスト再生設定情報による検索結果およびダイジェスト再生情報に基づいて、ダイジェスト再生プレイリスト１０５を生成するダイジェスト再生プレイリスト生成部１０８と、ダイジェスト再生プレイリスト１０５に基づいて、コンテンツのダイジェスト再生を行う再生制御部１１０とを備えた。【選択図】図１
2008306260.tif 000002
【特許請求の範囲】
【請求項１】
コンテンツおよびユーザの操作履歴の情報を格納する記憶部と、
前記ユーザにより入力され、前記記憶部に記憶された複数のコンテンツから、ダイジェスト再生に利用するダイジェスト再生対象の複数のコンテンツを検索するためのダイジェスト再生設定情報を受信する入力部と、
前記記憶部に記憶された前記ユーザの操作履歴に基づいて、前記複数のコンテンツのそれぞれのダイジェスト再生情報を生成するダイジェスト再生情報生成部と、
前記ダイジェスト再生設定情報による検索結果および前記ダイジェスト再生情報に基づいて、ダイジェスト再生プレイリストを生成するダイジェスト再生プレイリスト生成部と、
前記ダイジェスト再生プレイリストに基づいて、前記コンテンツのダイジェスト再生を行う再生制御部とを備えたことを特徴とするダイジェスト再生装置。
【請求項２】
請求項１記載のダイジェスト再生装置において、
前記ダイジェスト再生設定情報は、
前記ダイジェスト再生の対象となるコンテンツを検索するための情報と、
前記ダイジェスト再生によって視聴を行う視聴可能時間とを含むことを特徴とするダイジェスト再生装置。
【請求項３】
請求項２記載のダイジェスト再生装置において、
前記ダイジェスト再生設定情報は、
前記ダイジェスト再生の再生順を決定するための情報を含むことを特徴とするダイジェスト再生装置。
【請求項４】
請求項１記載のダイジェスト再生装置において、
前記操作履歴は、前記ダイジェスト再生のためのジャンルと、前記コンテンツのダイジェスト再生時に利用したコンテンツの総再生時間と、前記コンテンツのダイジェスト再生時に利用したコンテンツのダイジェスト再生時間とを含み、
前記再生制御部は、前記コンテンツのダイジェスト再生実行時に、前記操作履歴を更新することを特徴とするダイジェスト再生装置。
【請求項５】
請求項１記載のダイジェスト再生装置において、
前記ダイジェスト再生情報生成部は、
前記操作履歴に基づいて、前記コンテンツを特定するための一意の情報と、前記コンテンツの総再生時間と、前記コンテンツのジャンルとを含むコンテンツ情報から、
ダイジェスト再生割り当て時間と、ダイジェスト再生開始位置と、ダイジェスト再生区間とを含む前記ダイジェスト再生情報を算出することを特徴とするダイジェスト再生装置。
【請求項６】
請求項５記載のダイジェスト再生装置において、
前記ダイジェスト再生プレイリスト生成部は、
前記記憶部に記憶された前記コンテンツから検索されたコンテンツに対して生成された前記ダイジェスト再生設定情報を含む前記ダイジェスト再生プレイリストを生成することを特徴とするダイジェスト再生装置。
【請求項７】
請求項１記載のダイジェスト再生装置において、
前記コンテンツを表示する表示部を備え、
前記再生制御部は、
前記ダイジェスト再生プレイリストに従って、前記記憶部に記憶されたコンテンツを前記表示部に表示することを特徴とするダイジェスト再生装置。
【請求項８】
請求項１記載のダイジェスト再生装置において、
前記ダイジェスト再生プレイリスト生成部は、
前記再生制御部による前記ダイジェスト再生状況を、新たに生成したダイジェスト再生プレイリストに反映することを特徴とするダイジェスト再生装置。
【請求項９】
クライアント装置とネットワークを介して接続し、前記クライアント装置にコンテンツを配信するコンテンツ配信サーバであって、
前記コンテンツを格納する記憶部と、
ユーザによりクライアント装置に入力され、前記記憶部に記憶された複数のコンテンツから、ダイジェスト再生に利用するダイジェスト再生対象の複数のコンテンツを検索するためのダイジェスト再生設定情報を受信する入力部と、
前記クライアント装置に記憶された前記ユーザの操作履歴に基づいて、前記複数のコンテンツのそれぞれのダイジェスト再生情報を生成するダイジェスト再生情報生成部と、
前記ダイジェスト再生設定情報による検索結果および前記ダイジェスト再生情報に基づいて、ダイジェスト再生プレイリストを生成するダイジェスト再生プレイリスト生成部と、
前記ダイジェスト再生プレイリストに基づいて、前記クライアント装置に、前記コンテンツのダイジェスト配信を行う再生制御部とを備えたことを特徴とするコンテンツ配信サーバ。
【請求項１０】
請求項９記載のコンテンツ配信サーバにおいて、
前記記憶部は、前記ユーザごとの前記操作履歴を格納し、
前記ダイジェスト再生情報生成部は、前記クライアント装置からのユーザ認証情報に基づいて認証されたユーザの操作履歴に基づいて、前記複数のコンテンツのそれぞれのダイジェスト再生情報を生成することを特徴とするコンテンツ配信サーバ。
【発明の詳細な説明】
【技術分野】
【０００１】
本発明は、コンテンツのダイジェスト再生を行うダイジェスト再生装置およびコンテンツ配信サーバに関し、特に、ユーザの操作履歴に基づいて、複数個のコンテンツに対して生成したダイジェスト再生情報に従って、ダイジェスト再生を行う技術に関する。
【背景技術】
【０００２】
従来、コンテンツの映像、音声等の波形データから特徴量抽出を行った結果を解析し、コンテンツの要約部分のみを再生するダイジェスト再生を行う機能に関する技術としては、例えば、特開２００２−３４４８７２号公報（特許文献１）に記載のものが知られている。
【０００３】
特許文献１のダイジェスト再生では、ユーザが、１つのコンテンツに対して、ダイジェスト再生に必要なパラメータを設定する操作を行うことで、コンテンツのダイジェスト再生を行うものである。
【特許文献１】特開２００２−３４４８７２号公報
【発明の開示】
【発明が解決しようとする課題】
【０００４】
しかしながら、特許文献１では、再生を行う１つのコンテンツに対して、ダイジェスト再生に必要なジャンル等のコンテンツ情報や、どの程度の要約再生を行うかを指定するダイジェスト再生率等のダイジェスト再生設定情報を個別に設定することで、ダイジェスト再生を行うものであった。
【０００５】
この場合、ユーザが複数個のコンテンツをまとめて視聴するといった場合においては、ユーザが視聴に割ける時間を基に、１つ１つのコンテンツに割り当てる再生時間を配分し、ダイジェスト再生設定情報を指定する必要があり、コンテンツ増加に従い、ユーザに操作負担を強いるものとなる可能性がある。
【０００６】
そこで、本発明の目的は、操作履歴に基づいた複数コンテンツのダイジェスト再生時におけるダイジェスト再生情報生成の実現と、好適な使い勝手を実現することができるダイジェスト再生装置およびコンテンツ配信サーバを提供することにある。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。
【０００９】
本発明によるダイジェスト再生装置は、コンテンツおよびユーザの操作履歴の情報を格納する記憶部と、ユーザにより入力され、記憶部に記憶された複数のコンテンツから、ダイジェスト再生に利用するダイジェスト再生対象の複数のコンテンツを検索するためのダイジェスト再生設定情報を受信する入力部と、記憶部に記憶されたユーザの操作履歴に基づいて、複数のコンテンツのそれぞれのダイジェスト再生情報を生成するダイジェスト再生情報生成部と、ダイジェスト再生設定情報による検索結果およびダイジェスト再生情報に基づいて、ダイジェスト再生プレイリストを生成するダイジェスト再生プレイリスト生成部と、ダイジェスト再生プレイリストに基づいて、コンテンツのダイジェスト再生を行う再生制御部とを備えたものである。
【００１０】
また、本発明によるコンテンツ配信サーバは、クライアント装置とネットワークを介して接続し、クライアント装置にコンテンツを配信するコンテンツ配信サーバであって、コンテンツを格納する記憶部と、ユーザによりクライアント装置に入力され、記憶部に記憶された複数のコンテンツから、ダイジェスト再生に利用するダイジェスト再生対象の複数のコンテンツを検索するためのダイジェスト再生設定情報を受信する入力部と、クライアント装置に記憶されたユーザの操作履歴に基づいて、複数のコンテンツのそれぞれのダイジェスト再生情報を生成するダイジェスト再生情報生成部と、ダイジェスト再生設定情報による検索結果およびダイジェスト再生情報に基づいて、ダイジェスト再生プレイリストを生成するダイジェスト再生プレイリスト生成部と、ダイジェスト再生プレイリストに基づいて、クライアント装置に、コンテンツのダイジェスト配信を行う再生制御部とを備えたものである。
【発明の効果】
【００１１】
本願において開示される発明のうち、代表的なものによって得られる効果を簡単に説明すれば以下のとおりである。
【００１２】
本発明によれば、操作履歴とユーザの視聴可能時間に合わせた、複数コンテンツに対するダイジェスト再生情報の生成機能の実現と、好適な使い勝手を実現することができる。
【発明を実施するための最良の形態】
【００１３】
以下、本発明の実施の形態を図面に基づいて詳細に説明する。なお、実施の形態を説明するための全図において、同一の部材には原則として同一の符号を付し、その繰り返しの説明は省略する。
【００１４】
（実施の形態１）
実施の形態１は、複数個のコンテンツのダイジェスト再生時に必要な、ダイジェスト再生割り当て時間、ダイジェスト再生開始位置、ダイジェスト再生区間、ダイジェスト再生順等のダイジェスト再生情報を生成するものである。
【００１５】
図１〜図４により、本発明の実施の形態１に係るダイジェスト再生装置の構成について説明する。図１は本発明の実施の形態１に係るダイジェスト再生装置の構成を示す構成図、図２は本発明の実施の形態１に係るダイジェスト再生装置内のコンテンツ管理テーブルの一例を示す図、図３は本発明の実施の形態１に係るダイジェスト再生装置内のダイジェスト再生プレイリストの一例を示す図、図４は本発明の実施の形態１に係るダイジェスト再生装置内の操作履歴管理テーブルの一例を示す図である。
【００１６】
図１において、ダイジェスト再生装置１は、入力部１０１、記憶部１０２、ダイジェスト再生プレイリスト生成部１０８、ダイジェスト再生情報生成部１０９、再生制御部１１０、画面表示部１１１、通信部１１２から構成されている。
【００１７】
記憶部１０２内には、コンテンツ格納部１０３、コンテンツ管理テーブル１０４、ダイジェスト再生プレイリスト１０５、操作履歴管理テーブル１０６、ダイジェスト再生設定情報管理テーブル１０７が格納されている。
【００１８】
入力部１０１は、ダイジェスト再生装置１に接続された入力装置を介してユーザが入力した、ダイジェスト再生コンテンツの選択や、ユーザの視聴可能時間、再生順等のダイジェスト再生の視聴方法に関するダイジェスト再生設定情報の入力、コンテンツの再生、停止、早送り、巻き戻し等の再生制御要求の入力を受け付ける。これらの操作は、例えば、リモートコントローラ等の入力装置上のボタンの押下等で入力される。
【００１９】
記憶部１０２は、例えば、ＨＤＤ、メモリ、メモリカード等のブリッジメディア等で構成される記憶装置で構成されている。
【００２０】
なお、図１において、ダイジェスト再生装置１は、例えば、ＡＶサーバなどと接続し、コンテンツ格納部１０３の他に、ＡＶサーバ内のコンテンツを扱うようにしてもよい。
【００２１】
コンテンツ格納部１０３は、例えば、ＭＰＥＧ−２形式や、ＭＰＥＧ−４形式等のＡＶフォーマットで作成されたコンテンツデータを格納する。ここで、コンテンツは、ダイジェスト再生装置１に内蔵されたチューナで受信した放送を録画する等によって作成される。
【００２２】
コンテンツ管理テーブル１０４は、図２に示すように、コンテンツ格納部１０３に格納されたそれぞれのコンテンツデータに対するコンテンツＩＤ、コンテンツ名、総再生時間、ジャンル、作成日時、作成ユーザ等のコンテンツ詳細情報を管理する。
【００２３】
図２において、コンテンツ管理テーブル１０４は、コンテンツデータを特定するためのコンテンツＩＤ１０４１、コンテンツデータのコンテンツ名１０４２、コンテンツデータの総再生時間１０４３、コンテンツデータのジャンル１０４４、コンテンツデータが作成された日時１０４５、コンテンツデータを作成したユーザ１０４６から構成されている。
【００２４】
ここで、コンテンツＩＤ１０４１は、例えば、ファイルパス、コンテンツ名、コンテンツＵＲＬ等のコンテンツを特定し得る情報であれば、どのような形式でもよい。また、コンテンツ名１０４２は、例えば、録画に使用した放送局のチャンネル名等の、コンテンツに関する他の詳細な情報を含んでもよい。また、ジャンル１０４４，日時１０４５，ユーザ１０４６は、例えば、コンテンツに関するキーワード等、コンテンツの検索に利用するためのコンテンツに関する他の詳細情報を含んでもよい。
【００２５】
総再生時間１０４３は、初めの２桁で時間の単位を、次の２桁で分の単位を、次の２桁で秒の単位を表している。作成日時１０４５は、初めの４桁で年の単位を、次の２桁で月の単位を、次の２桁で日の単位を表し、「Ｔ」以降は、総再生時間１０４３の形式と同様である。
【００２６】
コンテンツ管理テーブル１０４では、コンテンツ格納部１０３に格納されているコンテンツの情報以外に、ＡＶサーバ装置、コンテンツ配信サーバに蓄積されているコンテンツの情報を、ネットワークを経由して取得し管理することもできる。
【００２７】
ダイジェスト再生プレイリスト１０５は、図３に示すように、ダイジェスト再生プレイリスト生成部１０８によって生成された、コンテンツＩＤ、ダイジェスト再生割り当て時間、ダイジェスト再生開始位置、ダイジェスト再生区間、ダイジェスト再生済みフラグ、ダイジェスト再生順等の、複数コンテンツのダイジェスト再生に関連する再生情報をプレイリスト形式で管理する。
【００２８】
図３において、ダイジェスト再生プレイリスト１０５は、コンテンツデータを特定するためのコンテンツＩＤ１０５１、コンテンツに割り当てられたダイジェスト再生割り当て時間１０５２、ダイジェスト再生開始位置１０５３、ダイジェスト再生区間１０５４、ダイジェスト再生プレイリストにて、ダイジェスト再生区間の終端まで再生が終了したかを記録するダイジェスト再生済みフラグ１０５５、ダイジェスト再生を実行する際の再生順１０５６から構成されている。
【００２９】
ダイジェスト再生割り当て時間１０５２、ダイジェスト再生開始位置１０５３は、総再生時間１０４３の形式と同様である。ただし、ダイジェスト再生区間１０５４は、ダイジェスト再生区間開始位置、ダイジェスト再生区間終了位置を対として表現し、それを複数有することができる。
【００３０】
ダイジェスト再生プレイリスト１０５は、ユーザごとに生成することも可能である。
【００３１】
操作履歴管理テーブル１０６は、図４に示すように、ユーザが行ったダイジェスト再生によるコンテンツ視聴に関する、コンテンツのジャンル、総再生時間、ダイジェスト再生時間、ダイジェスト再生率等の過去の操作履歴情報を管理する。
【００３２】
図４において、操作履歴管理テーブル１０６は、過去にダイジェスト再生を行ったコンテンツのジャンル１０６１、過去にダイジェスト再生を行ったコンテンツのジャンル別の総再生時間の累計１０６２、過去にダイジェスト再生を行ったコンテンツのジャンル別のダイジェスト再生時間の累計１０６３、ジャンル別のダイジェスト再生率１０６４から構成されている。
【００３３】
総再生時間１０６２、ダイジェスト再生時間１０６３は、総再生時間１０４３の形式と同様である。ここで、ダイジェスト再生率１０６４は、総再生時間１０６２とダイジェスト再生時間１０６３から算出されるものである。ダイジェスト再生率１０６４は、例えば、ダイジェスト再生時間１０６３を総再生時間１０６２で割った値で求めることができる。そのため、ダイジェスト再生率１０６４は、必ずしも操作履歴管理テーブル１０６で管理される必要はなく、ダイジェスト再生プレイリスト１０５の生成時に逐次算出してもよい。
【００３４】
操作履歴管理テーブル１０６は、ユーザごとに生成することも可能である。
【００３５】
また、操作履歴管理テーブル１０６は、ある指標に基づいて、予め複数のパターンを用意しておくことも可能である。例えば、年齢層ごとにダイジェスト再生の傾向や、嗜好に基づいて操作履歴管理テーブル１０６を生成しておき、ダイジェスト再生プレイリスト１０５の生成時に利用することもできる。
【００３６】
ダイジェスト再生設定情報管理テーブル１０７は、入力部１０１から入力されたダイジェスト再生コンテンツの選択や、ユーザの視聴時間、再生順等のダイジェスト再生の視聴方法に関するダイジェスト再生設定情報等の情報を管理する。
【００３７】
ダイジェスト再生プレイリスト生成部１０８は、ダイジェスト再生対象のコンテンツをコンテンツ管理テーブル１０４から検索し、検索に一致した各コンテンツに対してダイジェスト再生割り当て時間、ダイジェスト再生開始位置、ダイジェスト再生区間等のダイジェスト再生情報をダイジェスト再生情報生成部１０９により生成し、ダイジェスト再生プレイリスト１０５のフォーマットに従い、記憶部１０２に格納する。
【００３８】
ダイジェスト再生情報生成部１０９は、入力部１０１から入力された、または、ダイジェスト再生設定情報管理テーブル１０７で管理されているダイジェスト再生設定情報に従って、入力された各コンテンツに対してダイジェスト再生割り当て時間、ダイジェスト再生開始位置、ダイジェスト再生区間等のダイジェスト再生情報を生成する。
【００３９】
再生制御部１１０は、ダイジェスト再生プレイリスト１０５のダイジェスト再生順、ダイジェスト再生位置、ダイジェスト再生区間に従って、コンテンツ格納部１０３からコンテンツデータを読み込み、画面表示部１１１に表示する。また、入力部１０１から入力されたコンテンツの再生、停止、早送り、巻き戻し等の再生制御要求の入力に従い、コンテンツデータの再生表示を制御する。
【００４０】
画面表示部１１１は、コンテンツ選択のためのコンテンツのリスト表示や、コンテンツ再生表示のためのコンテンツデータのデコード結果を表示する。
【００４１】
通信部１１２は、他の機器と接続し、コンテンツなどの情報のやり取りを行う。
【００４２】
次に、図５により、本発明の実施の形態１に係るダイジェスト再生装置のダイジェスト再生プレイリストの生成処理について説明する。図５は本発明の実施の形態１に係るダイジェスト再生装置のダイジェスト再生プレイリストの生成処理を示すフローチャートである。
【００４３】
図５においては、操作履歴管理テーブル１０６にユーザの操作履歴が記録された状態から開始することとする。操作履歴管理テーブル１０６への操作履歴の記録方法に関しては後述する。
【００４４】
まず、Ｓ３０１にて、入力部１０１から入力された、または、ダイジェスト再生設定情報管理テーブル１０７で管理されているダイジェスト再生設定情報の中から、ダイジェスト再生に利用するダイジェスト再生設定情報が、ユーザによってダイジェスト再生プレイリスト生成部１０８に設定される。
【００４５】
ここで、ダイジェスト再生設定情報には、ダイジェスト再生の対象となるコンテンツを検索するための情報、例えば、対象ジャンルや、コンテンツの作成日時、検索キーワード等を含む。また、ダイジェスト再生設定情報には、ダイジェスト再生の視聴方法に関する情報、例えば、ユーザがコンテンツ視聴に当てることができる視聴可能時間、複数コンテンツの再生順等を含む。
【００４６】
本実施の形態では、Ｓ３０１にて、２００７年０２月２７日時点における、ユーザＡに関する、最近１週間に作成された映画以外の全てのジャンルのコンテンツを、作成日時の古い順に１時間で再生すると設定された場合を例に説明する。
【００４７】
Ｓ３０２にて、ダイジェスト再生プレイリスト生成部１０８が、Ｓ３０１で指定されたダイジェスト再生設定情報に従って、コンテンツ管理テーブル１０４からダイジェスト再生の対象となるコンテンツを検索する。
【００４８】
コンテンツの検索では、例えば、特定のジャンルや、キーワードに一致するコンテンツを検索したり、ある一定期間、例えば、過去１週間分に作成されたコンテンツを検索したりすることが可能である。
【００４９】
ここでは、Ｓ３０１で指定されたダイジェスト再生設定情報の例の場合、ユーザＡに関する最近１週間の全てのジャンルのコンテンツと指定されている場合、図２に示すコンテンツ管理テーブルから、コンテンツＩＤが、「ＩＤ０７０２２３２０００」と「ＩＤ０７０２２４２０００」と「ＩＤ０７０２２６１４００」の３つのコンテンツが、ダイジェスト再生の対象コンテンツとして検索される。
【００５０】
Ｓ３０３にて、ダイジェスト再生プレイリスト生成部１０８が、ダイジェスト再生プレイリスト１０５を生成して、Ｓ３０１で行った検索で該当したコンテンツの情報をコンテンツ管理テーブル１０４から読み込み、前記ダイジェスト再生プレイリスト１０５に登録する。
【００５１】
ここでは、Ｓ３０１で指定されたダイジェスト再生設定情報の例の場合、ユーザＡに関する、最近１週間の全てのジャンルのコンテンツと指定されている場合、図３に示すように、コンテンツＩＤが、「ＩＤ０７０２２３２０００」と「ＩＤ０７０２２４２０００」と「ＩＤ０７０２２６１４００」の３つのコンテンツが、ダイジェスト再生プレイリスト１０５に設定される。また、記録した全てのコンテンツのダイジェスト再生済みフラグ１０５５に、再生未済を表す「ＯＦＦ」に設定する。
【００５２】
Ｓ３０４にて、操作履歴管理テーブル１０６から、ダイジェスト再生に利用された各ジャンルのダイジェスト再生率を算出する。
【００５３】
Ｓ３０５にて、Ｓ３０４にて算出したジャンルごとのダイジェスト再生率１０６４を利用して、Ｓ３０３にてダイジェスト再生プレイリスト１０５に登録したコンテンツに対して、ダイジェスト再生割り当て時間１０５２を算出する。
【００５４】
ここでは、Ｓ３０１で指定されたダイジェスト再生設定情報の例の場合、例えば、コンテンツＩＤ「ＩＤ０７０２２３２０００」に対しては、コンテンツ管理テーブル１０４から、ジャンルが「音楽」、総再生時間が「６０分」であり、操作履歴管理テーブル１０６から、ジャンル「音楽」に対するダイジェスト再生率は「１０％」となっている。そのため、コンテンツＩＤ「ＩＤ０７０２２３２０００」に割り当てられるダイジェスト再生時間は、総再生時間とジャンルに対するダイジェスト再生率を掛けた、６０×（１０／１００）＝６分と算出される。
【００５５】
Ｓ３０６にて、ダイジェスト再生プレイリスト１０５に登録したダイジェスト再生対象のコンテンツ全てに対して、Ｓ３０５の処理を行ったかを判定する。ダイジェスト再生割り当て時間１０５２を算出していないコンテンツがダイジェスト再生プレイリスト１０５に残っていれば、Ｓ３０５へ、ダイジェスト再生プレイリスト１０５に登録した全てのコンテンツについてＳ３０５の処理を完了したら、Ｓ３０７の処理に進む。
【００５６】
これにより、操作履歴に記録されたジャンルごとの過去のダイジェスト再生率を、ダイジェスト再生割り当て時間に反映することができる。
【００５７】
Ｓ３０７にて、ダイジェスト再生プレイリスト１０５に登録したダイジェスト再生対象のコンテンツに対して、Ｓ３０５にて算出した各コンテンツのダイジェスト再生割り当て時間を総計した値を、Ｓ３０１にて設定された、ユーザがコンテンツ視聴に当てることができる視聴時間で正規化する。
【００５８】
これは、例えば、コンテンツのダイジェスト再生割り当て時間１０５２を、コンテンツ視聴に当てることができる視聴時間で割り、視聴可能時間を掛けた値で求めることができる。
【００５９】
ここでは、Ｓ３０１で指定されたダイジェスト再生設定情報の例の場合、Ｓ３０５、Ｓ３０６にて算出した３つのコンテンツのダイジェスト再生割り当て時間１０５２を総和した値「３６分」と、ユーザの視聴可能時間「１時間」を利用して、ダイジェスト再生割り当て時間１０５２を正規化する。これにより、例えば、図３に示すように、コンテンツＩＤ「ＩＤ０７０２２３２０００」に割り当てられる正規化されたダイジェスト再生割り当て時間１０５２は、６×（６０／３６）＝１０分となる。
【００６０】
Ｓ３０８にて、ダイジェスト再生プレイリスト１０５に登録したダイジェスト再生対象のコンテンツ全てに対して、Ｓ３０７の処理を行ったかを判定する。ダイジェスト再生割り当て時間の正規化がされていないコンテンツが残っていれば、Ｓ３０７へ、ダイジェスト再生プレイリスト１０５に登録した全てのコンテンツについて処理を完了したら、Ｓ３０９の処理に進む。
【００６１】
これにより、ユーザにより指定された視聴可能時間を、ダイジェスト再生割り当て時間に反映することができる。
【００６２】
Ｓ３０９にて、ダイジェスト再生プレイリスト１０５に登録したダイジェスト再生対象のコンテンツに対して、Ｓ３０７にて算出した各コンテンツのダイジェスト再生割り当て時間を基に、ダイジェスト再生開始位置１０５３、ダイジェスト再生区間１０５４を算出する。ここで、ダイジェスト再生開始位置１０５３には、ダイジェスト再生区間１０５４のうち、開始時間の値が一番若い値を設定する。
【００６３】
図３において、例えば、コンテンツＩＤ「ＩＤ０７０２２３２０００」のダイジェスト再生区間１０５４「００：１０：００−００：１５：００，００：４０：００−００：４５：００」のうち、開始時間の値が一番若い値「００：１０：００」をダイジェスト再生開始位置１０５３に設定する。
【００６４】
ただし、本実施の形態では、ダイジェスト再生区間の算出方法に関しては、言及しない。ダイジェスト再生区間を算出する、どのアルゴリズムを適用してもよい。
【００６５】
Ｓ３１０にて、ダイジェスト再生プレイリスト１０５に登録したダイジェスト再生対象のコンテンツ全てに対して、Ｓ３０９の処理を行ったかを判定する。ダイジェスト再生開始位置１０５３、ダイジェスト再生区間１０５４が算出されていないコンテンツが残っていれば、Ｓ３０９へ、ダイジェスト再生プレイリスト１０５に登録した全てのコンテンツについてＳ３０９の処理を完了したら、Ｓ３１１の処理に進む。
【００６６】
Ｓ３１１にて、Ｓ３０１にて設定されたダイジェスト再生の視聴方法に関する情報を参照して、ダイジェスト再生プレイリスト１０５に登録されたコンテンツの再生順１０５６を設定する。
【００６７】
ここでは、Ｓ３０１で指定されたダイジェスト再生設定情報の例の場合、作成日時の古い順に再生すると指定されている場合、コンテンツ管理テーブル１０４の作成日時１０４５を参照して、再生順位１が「ＩＤ０７０２２３２０００」、再生順位２が「ＩＤ０７０２２４２０００」、再生順位３が「ＩＤ０７０２２６１４００」と設定される。
【００６８】
ただし、再生順１０５６を決定する方法は、この限りではない。例えば、Ｓ３０１にて、キーワードを設定しておくことで、関連するキーワードを多く含むコンテンツの再生順を早くする等により再生順を決定することもできる。
【００６９】
以上説明した処理の流れによれば、複数コンテンツのダイジェスト再生を行う上での、ダイジェスト再生対象となるコンテンツを検索するための情報や、視聴可能時間等のダイジェスト再生設定情報を指定することで、コンテンツ管理テーブル１０４と操作履歴管理テーブル１０６を利用して、ダイジェスト再生プレイリスト１０５を生成することができる。
【００７０】
また、操作履歴に基づいて、複数個のコンテンツのダイジェスト再生時に必要な、ダイジェスト再生割り当て時間、ダイジェスト再生開始位置、ダイジェスト再生区間、ダイジェスト再生順等のダイジェスト再生情報を生成することができる。
【００７１】
次に、図６および図７により、本発明の実施の形態１に係るダイジェスト再生装置のダイジェスト再生処理について説明する。図６は本発明の実施の形態１に係るダイジェスト再生装置のダイジェスト再生の開始処理を示すフローチャート、図７は本発明の実施の形態１に係るダイジェスト再生装置のダイジェスト再生の停止処理を示すフローチャートである。
【００７２】
まず、ダイジェスト再生プレイリスト１０５に従った、ダイジェスト再生の開始処理は、図６に示すように、Ｓ７０１にて、図５の処理により生成されたダイジェスト再生プレイリスト１０５に対して、入力部１０１がユーザからの再生開始要求を受信する。
【００７３】
Ｓ７０２にて、現在の再生順をセットするカウンタを１に初期化する。
【００７４】
Ｓ７０３にて、ダイジェスト再生プレイリスト１０５の再生順１０５６が、カウンタの値と一致しているものを検索し、一致したコンテンツのコンテンツＩＤ１０５１で指定されるコンテンツデータをコンテンツ格納部１０３から読み込む。
【００７５】
図３においては、再生順１０５６が「１」に設定されている、コンテンツＩＤ「ＩＤ０７０２２３２０００」のコンテンツデータをコンテンツ格納部１０３から読み込む。
【００７６】
Ｓ７０４にて、Ｓ７０３で検索されたコンテンツのダイジェスト再生区間１０５４とダイジェスト再生開始位置１０５３を、ダイジェスト再生プレイリスト１０５から読み込む。
【００７７】
図３においては、コンテンツＩＤ「ＩＤ０７０２２３２０００」のダイジェスト再生区間「００：１０：００−００：１５：００」と、ダイジェスト再生開始位置「００：１０：００」をダイジェスト再生プレイリストから読み込む。
【００７８】
Ｓ７０５にて、Ｓ７０３で読み込んだコンテンツデータを、Ｓ７０４で読み込んだダイジェスト再生開始位置を再生開始位置として、再生を開始する。
【００７９】
Ｓ７０６にて、Ｓ７０４で読み込んだダイジェスト再生区間１０５４に沿って再生を継続する。１つのダイジェスト再生区間について再生が終了した場合、ダイジェスト再生区間１０５４から再生済みとなった区間を削除し、次のダイジェスト再生区間から再生を継続する。全てのダイジェスト再生区間について再生が終了したら、Ｓ７０７の処理に進む。
【００８０】
図３においては、コンテンツＩＤ「ＩＤ０７０２２３２０００」のダイジェスト再生区間「００：１０：００−００：１５：００」の再生が完了した後、ダイジェスト再生プレイリスト１０５から次のダイジェスト再生区間「００：４０：００−００：４５：００」を読み込む。
【００８１】
Ｓ７０７にて、Ｓ７０６で再生を終了したコンテンツに関して、そのダイジェスト再生済みフラグ１０５５を、再生済みを表す「ＯＮ」にする。
【００８２】
Ｓ７０８にて、再生順をセットするカウンタを１だけ増加させる。
【００８３】
Ｓ７０９にて、ダイジェスト再生プレイリスト１０５に登録されたダイジェスト再生対象のコンテンツ全てに対して、Ｓ７０７の処理を行ったかを判定する。ダイジェスト再生が終了していないコンテンツが残っていれば、Ｓ７０３へ、ダイジェスト再生プレイリスト１０５に登録した全てのコンテンツについてＳ７０３〜Ｓ７０８の処理を完了したら、処理を終了する。
【００８４】
以上説明した処理の流れによれば、ダイジェスト再生プレイリストの再生順に従って、コンテンツのダイジェスト再生を開始することができる。
【００８５】
また、ダイジェスト再生プレイリストに従った、ダイジェスト再生を停止する処理は、図７に示すように、Ｓ７１１にて、入力部１０１がユーザからの再生停止要求を受信する。
【００８６】
Ｓ７１２にて、再生制御部１１０が、画面表示部１１１へのコンテンツ再生表示を停止する。Ｓ７１１で再生停止要求を受信するまでに再生したコンテンツの再生済み位置を取得する。ダイジェスト再生プレイリスト生成部１０８は、再生を実行していたコンテンツのダイジェスト再生開始位置１０５３を、取得した再生済み位置で更新する。
【００８７】
以上説明した処理の流れによれば、コンテンツのダイジェスト再生を停止した際に、それまで再生していた再生停止位置をダイジェスト再生プレイリストに記録することができる。
【００８８】
このように、ダイジェスト再生プレイリストに従って、複数コンテンツのダイジェスト再生処理を実行することができる。
【００８９】
次に、図８により、本発明の実施の形態１に係るダイジェスト再生装置のユーザの操作履歴の更新処理について説明する。図８は本発明の実施の形態１に係るダイジェスト再生装置のユーザの操作履歴の更新処理を示すフローチャートである。
【００９０】
ここでは、ユーザがダイジェスト再生装置１を利用して、コンテンツのダイジェスト再生を行う場合の操作履歴の更新について説明する。ただし、ダイジェスト再生は従来のような、１つのコンテンツに対するダイジェスト再生であってもよいし、前述したダイジェスト再生プレイリストに従ったダイジェスト再生であってもよい。
【００９１】
操作履歴管理テーブル１０６の更新は、図８に示すように、Ｓ８０１にて、入力部１０１から入力された、または、ダイジェスト再生設定情報管理テーブル１０７で管理されているダイジェスト再生設定情報の中から、ダイジェスト再生に利用するダイジェスト再生設定情報が、ユーザによってダイジェスト再生プレイリスト生成部１０８に設定される。
【００９２】
ただし、ここで設定される情報は、図５のＳ３０１で挙げたような情報を含む。
【００９３】
Ｓ８０２にて、図５のＳ３０１で設定されたダイジェスト再生設定情報に従って、コンテンツ管理テーブル１０４からダイジェスト再生の対象となるコンテンツを検索する。
【００９４】
ただし、ここでの検索の方法は、図５のＳ３０２で挙げたような検索方法を含む。
【００９５】
Ｓ８０３にて、入力部１０１がユーザからの再生開始要求を受信して、コンテンツのダイジェスト再生を開始する。
【００９６】
ここでは、Ｓ８０３にて、ジャンル「ニュース」、総再生時間「６０分」のコンテンツを、ダイジェスト再生割り当て時間「２０分」でダイジェスト再生する場合について説明する。
【００９７】
Ｓ８０４にて、入力部１０１がユーザからの再生停止要求を受信するか、または、全てのダイジェスト再生区間について再生が終了したときに、コンテンツのダイジェスト再生を停止する。
【００９８】
Ｓ８０５にて、Ｓ８０３からＳ８０４までに再生されたコンテンツの通常再生時の総再生時間を、コンテンツ管理テーブル１０４の総再生時間１０４３から読み込み、Ｓ８０３からＳ８０４までに再生されたコンテンツのダイジェスト再生によって再生されたダイジェスト再生時間を読み込む。また、Ｓ８０５にて取得した通常再生時の総再生時間を、操作履歴管理テーブル１０６の総再生時間１０６２に加算し、Ｓ８０５にて取得したダイジェスト再生時間を、操作履歴管理テーブル１０６のダイジェスト再生時間１０６３に加算する。
【００９９】
ここでは、Ｓ８０１で指定されたダイジェスト再生設定情報の例の場合、全てのダイジェスト再生区間について再生が終了した場合、ジャンル「ニュース」の総再生時間１０６２は「６６０分」、ダイジェスト再生時間１０６３は「８０分」となる。
【０１００】
以上説明した処理の流れによれば、ユーザによるコンテンツのダイジェスト再生の結果を、操作履歴として操作履歴管理テーブルに記録することができる。
【０１０１】
また、ユーザによるコンテンツのダイジェスト再生を操作履歴として記録することで、ダイジェスト再生プレイリストを生成する際に、ジャンルごとに、過去、どの程度ダイジェスト再生を行ったかという情報を利用することで、ジャンルごとのダイジェスト再生割り当て時間を調整することができる。
【０１０２】
次に、図９により、本発明の実施の形態１に係るダイジェスト再生装置のダイジェスト再生プレイリストの更新処理について説明する。図９は本発明の実施の形態１に係るダイジェスト再生装置のダイジェスト再生プレイリストの更新処理を示すフローチャートである。
【０１０３】
ここでは、ダイジェスト再生プレイリスト１０５に従った再生が、ユーザにより途中で停止された場合について説明する。
【０１０４】
この場合、ダイジェスト再生プレイリスト１０５にて、ダイジェスト再生開始位置１０５３には、図５のＳ３０９で設定したようダイジェスト再生区間の開始時間の値が一番若い値と、図７のＳ７１２で設定したようなダイジェスト再生停止位置が設定されたものが混在することとなる。また、ダイジェスト再生済みフラグ１０５５には、再生済みを示すＯＮと再生未済みを示すＯＦＦが混在することとなる。
【０１０５】
ダイジェスト再生プレイリストの更新処理は、図９に示すように、Ｓ９０１にて、図５のＳ３０１〜Ｓ３１１の処理の流れに沿ってダイジェスト再生プレイリスト１０５を新規に生成する。
【０１０６】
Ｓ９０２にて、Ｓ９０１で生成したダイジェスト再生プレイリスト１０５と、前回までに生成したダイジェスト再生プレイリスト１０５を比較し、保存済みのダイジェスト再生プレイリスト１０５を含むかを判定する。
【０１０７】
説明のため、Ｓ９０１で生成したダイジェスト再生プレイリスト１０５を「Ｎｅｗ」、保存済みのダイジェスト再生プレイリスト１０５となる前回までに生成したダイジェスト再生プレイリスト１０５を「Ｏｌｄ」と記述することとする。
【０１０８】
ここでは、「Ｎｅｗ」に登録されたコンテンツＩＤが、「Ｏｌｄ」にも登録されているかを確認する。全て登録されていなければ、処理を終了する。
【０１０９】
Ｓ９０３にて、「Ｎｅｗ」、「Ｏｌｄ」のどちらのダイジェスト再生プレイリスト１０５にも、同一のコンテンツが登録されている場合、一致したコンテンツに対する「Ｏｌｄ」のダイジェスト再生済みフラグ１０５５が「ＯＮ」であれば、「Ｎｅｗ」のダイジェスト再生済みフラグ１０５５をＯＮにするか、該当するコンテンツＩＤの情報を「Ｎｅｗ」から削除する。
【０１１０】
これにより、「Ｎｅｗ」で生成したダイジェスト再生プレイリストに従った再生時には、既にダイジェスト再生で視聴したコンテンツは再生されない。
【０１１１】
また、「Ｏｌｄ」のダイジェスト再生開始位置１０５３が、ダイジェスト再生区間の開始時間の値が一番若い値と一致しない、つまり、図７のＳ７１２にてダイジェスト再生の途中で再生が停止され、ダイジェスト再生開始位置１０５３が更新されている場合、「Ｎｅｗ」のダイジェスト再生開始位置１０５３を「Ｏｌｄ」のダイジェスト再生開始位置１０５３で更新する。
【０１１２】
これにより、「Ｎｅｗ」で生成したダイジェスト再生プレイリストに従った再生時には、「Ｏｌｄ」を利用した前回のダイジェスト再生を停止した位置からコンテンツが再生される。
【０１１３】
以上説明した処理の流れによれば、前回までに生成したダイジェスト再生プレイリストが存在する場合、新たに生成するダイジェスト再生プレイリストに、前回までの再生状況を反映させることができる。
【０１１４】
このように、前回ダイジェスト再生プレイリストに従って再生した、ダイジェスト再生状態に応じて、ダイジェスト再生済みコンテンツが再度、再生対象に登録されることを防いだり、前回停止した位置からダイジェスト再生を再開したりすることができる。
【０１１５】
以上のように本実施の形態では、ダイジェスト再生装置１がユーザの操作履歴を利用して、ダイジェスト再生に必要なダイジェスト再生情報を自動的に生成することができ、ユーザがダイジェスト再生情報を手動で設定する手間を削減することが可能となる。これにより、効率のよい情報の取得と好適な使い勝手の実現が可能となる。
【０１１６】
（実施の形態２）
実施の形態２は、実施の形態１のダイジェスト再生装置１に、ＡＶクライアント装置２を接続し、ＡＶクライアント装置２でダイジェスト再生するようにし、ＡＶクライアント装置２でダイジェスト再生プレイリストを共有するようにしたものである。
【０１１７】
図１０において、本発明の実施の形態２に係るダイジェスト再生装置の接続例について説明する。図１０は本発明の実施の形態２に係るダイジェスト再生装置の接続例を説明するための接続図である。
【０１１８】
本実施の形態のダイジェスト再生装置の構成は実施の形態１と同様である。
【０１１９】
図１０において、ダイジェスト再生装置１は通信部１１２により、ネットワークなどを経由してＡＶクライアント装置２と接続されている。
【０１２０】
ダイジェスト再生装置１は、ユーザの操作履歴に基づき、コンテンツのダイジェスト再生割り当て時間、ダイジェスト再生開始位置、ダイジェスト再生区間、ダイジェスト再生順を算出したり、ダイジェスト再生プレイリスト１０５を生成して、生成したダイジェスト再生プレイリスト１０５に従って、ダイジェスト再生を行う。
【０１２１】
ＡＶクライアント装置２は、ネットワークを経由して、ダイジェスト再生装置１に蓄積されたコンテンツのコンテンツ情報を取得し画面にリスト表示したり、ダイジェスト再生装置１で生成されたダイジェスト再生プレイリストに従ってダイジェスト再生を行ったり、コンテンツの再生、停止、早送り、巻き戻し等の再生制御を行う。
【０１２２】
ここで、ネットワークを形成する情報伝送網は、例えば、有線ＬＡＮ、無線ＬＡＮ、ＵＷＢ（Ｕｌｔｒａ  Ｗｉｄｅ  Ｂａｎｄ）、Ｂｌｕｅｔｏｏｔｈ、ＩＥＥＥ１３９４、電力線等で構成されるネットワークや、これらの組み合わせ、またはこれらと放送の組み合わせなどである。情報伝送網に接続された装置間では、ある所定の手順に従って情報を転送することが可能である。また、ネットワーク上に存在するＡＶクライアント装置の数は、特に限定しない。
【０１２３】
次に、図１１により、本発明の実施の形態２に係るダイジェスト再生装置によるダイジェスト再生プレイリストをネットワーク上のＡＶクライアント装置で共有する処理について説明する。図１１は本発明の実施の形態２に係るダイジェスト再生装置によるダイジェスト再生プレイリストをネットワーク上のＡＶクライアント装置で共有する処理を説明するための説明図である。
【０１２４】
なお、以下の説明では、ダイジェスト再生プレイリスト１０５をコンテンツリストとして公開する例について説明する。
【０１２５】
ここで、コンテンツリストとは、例えば、図１１に示すような階層構造となっている。Ａ１００１〜Ａ１０１１は、ネットワーク上のＡＶクライアント装置２から選択可能なフォルダ、ファイルのようなものである。階層構造の各階層は、情報のリストにより構成されている。各階層のリストの１つの情報には、さらに下位の階層のリストが関連付けられている。
【０１２６】
例えば、図１１の例では、第１階層のリストは、最上位階層を表す“トップ”というリストである。第２階層のリストは、第１階層の情報に関連付けられている。この例では、第１階層のリストの“トップ”という情報には、第２階層のリストとして、ユーザに関するリストが関連付けられている。
【０１２７】
さらに、第２階層のリストに含まれる“ユーザＡ”という情報は、第３階層としてどの範囲のコンテンツをどの程度の視聴時間でダイジェスト再生するかを示すリストが関連付けられている。上記の説明で触れていないリストの情報の下位の階層のリストもそれぞれ同様に存在する。
【０１２８】
ＡＶクライアント装置２は、各リストを階層ごとにメニュー表示を行う。ユーザによって選択されたリストに従って、そのリストの下位の階層のメニュー表示を行う。
【０１２９】
例えば、ネットワーク装置間でのデータのやり取りを規定したＵＰｎＰのサービスの１つであるＣＤＳ（Ｃｏｎｔｅｎｔ  Ｄｉｒｅｃｔｏｒｙ  Ｓｅｒｖｉｃｅ）で規定されているように、コンテンツ情報を階層構造に従って共有することで、ダイジェスト再生プレイリストのネットワーク間での共有を実現することが可能となる。
【０１３０】
この場合、ユーザＡが、ＡＶクライアント装置２から、第１階層のＡ１００１で示される“トップ”を選択し、第２階層のＡ１００２〜Ａ１００３から、自分に関する階層である“ユーザＡ”を選択する。その後、第３階層のＡ１００４〜Ａ１００７から、ダイジェスト再生に使用したいプレイリストを選択する。
【０１３１】
これにより、ダイジェスト再生装置１は、ユーザから選択されたダイジェスト再生プレイリストに従って、ダイジェスト再生コンテンツをＡＶクライアント装置２に送信する。
【０１３２】
ＡＶクライアント装置２では、受信したコンテンツデータを表示することで、ユーザＡはダイジェスト再生コンテンツを視聴することが可能となる。
【０１３３】
以上説明した処理の流れによれば、ダイジェスト再生プレイリストをコンテンツ共有のプロトコルに則ってやり取りすることで、ＡＶクライアント装置２側でもダイジェスト再生プレイリストに従ったダイジェスト再生を行うことができる。
【０１３４】
また、ダイジェスト再生プレイリスト１０５をネットワークで接続されたＡＶクライアント装置２間で共有して、ダイジェスト再生によるコンテンツ視聴を行うことができる。
【０１３５】
（実施の形態３）
実施の形態３は実施の形態１のダイジェスト再生装置１に、コンテンツ配信サーバ４を接続し、コンテンツ配信サーバ４が、実施の形態１でのダイジェスト再生装置１によるダイジェスト再生プレイリストの生成処理を行い、コンテンツ配信サーバ４からダイジェスト再生コンテンツの配信を受けるようにしたものである。
【０１３６】
図１２により、本発明の実施の形態３に係るダイジェスト再生装置およびコンテンツ配信サーバの接続例について説明する。図１２は本発明の実施の形態３に係るダイジェスト再生装置およびコンテンツ配信サーバの接続例を説明するための接続図である。
【０１３７】
本実施の形態のダイジェスト再生装置の構成は実施の形態１と同様であり、コンテンツ配信サーバ４は、実施の形態１のダイジェスト再生装置１におけるコンテンツ管理テーブル１０４、ダイジェスト再生プレイリスト１０５の情報や、ダイジェスト再生プレイリスト生成部１０８、ダイジェスト再生情報生成部１０９に相当する機能を有している。
【０１３８】
なお、本実施の形態では、コンテンツ配信サーバ４により、ダイジェスト再生プレイリストが生成されダイジェスト再生コンテンツが配信されるため、ダイジェスト再生装置１側では、ユーザ情報となる操作履歴管理テーブル１０６、ダイジェスト再生設定情報管理テーブル１０７の情報を格納するだけでもよく、コンテンツ管理テーブル１０４、ダイジェスト再生プレイリスト１０５、ダイジェスト再生プレイリスト生成部１０８、ダイジェスト再生情報生成部１０９がないクライアント端末を使用することも可能である。
【０１３９】
また、コンテンツ配信サーバ４側でユーザの配信による視聴履歴などのユーザ情報も格納するようにしてもよい。この場合は、ダイジェスト再生装置１からは、ユーザ認証情報および入力部１０１から入力されたダイジェスト再生設定情報のみをコンテンツ配信サーバ４に送信して、コンテンツ配信サーバ４側に格納された情報に基づいて、ダイジェスト再生プレイリストを生成すればよい。
【０１４０】
図１２において、ダイジェスト再生装置１は通信部１１２により、ネットワークなどを経由してコンテンツ配信サーバ４と接続されている。
【０１４１】
ダイジェスト再生装置１は、コンテンツ配信サーバ４に接続し、ユーザ情報をコンテンツ配信サーバ４に送信し、コンテンツや、ダイジェスト再生コンテンツの配信を受け、再生を行う。
【０１４２】
コンテンツ配信サーバ４は、ネットワークを経由して、ネットワーク上の不特定多数のダイジェスト再生装置１などのクライアント装置にコンテンツを配信しており、１対１のユニキャスト形式や、１対多のマルチキャスト形式、ブロードキャスト形式等での送信を行ったり、クライアント装置が、コンテンツをダウンロードしながら再生を行うストリーミング型や、コンテンツデータを全て取得し記録してから再生を行うダウンロード型等の形式でコンテンツ配信を行う。
【０１４３】
ここで、ネットワークを形成する情報伝送網は、例えば、有線ＬＡＮ、無線ＬＡＮ、ＵＷＢ（Ｕｌｔｒａ  Ｗｉｄｅ  Ｂａｎｄ）、Ｂｌｕｅｔｏｏｔｈ、ＩＥＥＥ１３９４、電力線等で構成されるネットワークや、これらの組み合わせ、またはこれらと放送の組み合わせなどである。情報伝送網に接続された装置間では、ある所定の手順に従って情報を転送することが可能である。また、ネットワーク上に存在するコンテンツ配信サーバの数は、特に限定しない。
【０１４４】
次に、図１３により、本発明の実施の形態３に係るダイジェスト再生装置およびコンテンツ配信サーバのダイジェスト再生コンテンツの配信処理について説明する。図１３は本発明の実施の形態３に係るダイジェスト再生装置およびコンテンツ配信サーバのダイジェスト再生コンテンツの配信処理を示すフローチャートである。
【０１４５】
なお、以下の説明では、コンテンツ配信サーバ４がダイジェスト再生プレイリストを生成し、ダイジェスト再生コンテンツを配信する例について説明する。これは、例えば、コンテンツ配信サーバ４側の新着コンテンツを、ダイジェスト再生プレイリストを利用して配信し、ユーザがコンテンツを視聴できる等のケースが考えられる。
【０１４６】
図１３において、Ｓ１１０１〜Ｓ１１０５における各処理に関して、「Ｃ」とある部分については、クライアント側であるダイジェスト再生装置１側での処理を、「Ｓ」とある部分については、サーバ側であるコンテンツ配信サーバ４側での処理をそれぞれ示す。
【０１４７】
Ｓ１１０１にて、入力部１０１から入力された、または、ダイジェスト再生設定情報管理テーブル１０７で管理されているダイジェスト再生設定情報の中から、ダイジェスト再生に利用するダイジェスト再生設定情報がユーザによって設定される。ただし、ここで設定される情報は、実施の形態１の図５のＳ３０１で挙げたような情報を含む。
【０１４８】
この処理は、実施の形態１の図５のＳ３０１の処理に該当する。
【０１４９】
Ｓ１１０２にて、ダイジェスト再生装置１は、Ｓ１１０１で読み込んだダイジェスト再生設定情報をコンテンツ配信サーバ４に送信する。
【０１５０】
ここで、ダイジェスト再生設定情報は、ある指標に基づいて、予め複数のパターンを用意しておくことも可能である。例えば、年齢層ごとにダイジェスト再生の傾向や、嗜好に基づいてダイジェスト再生設定情報をコンテンツ配信サーバ側４で生成しておき、クライアント側のユーザに選択させることもできる。
【０１５１】
Ｓ１１０３にて、コンテンツ配信サーバ４は、ダイジェスト再生装置１から受信したダイジェスト再生設定情報を基に、コンテンツ配信サーバ４が配信可能なコンテンツの中から、ダイジェスト再生対象のコンテンツを検索する。
【０１５２】
この処理は、実施の形態１の図５のＳ３０２〜Ｓ３０３の処理に該当する。
【０１５３】
Ｓ１１０４にて、コンテンツ配信サーバ４は、ダイジェスト再生設定情報とＳ１１０３にて検索したダイジェスト再生対象のコンテンツから、ダイジェスト再生プレイリスト１０５を生成する。
【０１５４】
この処理は、実施の形態１の図５のＳ３０４〜Ｓ３１１の処理に該当する。
【０１５５】
Ｓ１１０５にて、コンテンツ配信サーバ４は、Ｓ１１０４にて生成したダイジェスト再生プレイリストに従い、コンテンツ配信サーバ４が有するコンテンツをダイジェスト再生装置１に対して配信する。
【０１５６】
以上説明した処理の流れによれば、クライアント装置側にダイジェスト再生機能、およびダイジェスト再生プレイリストを生成する機能がない場合でも、ユーザの嗜好等を含むような情報をコンテンツ配信サーバ４に送信することができれば、コンテンツ配信サーバ４からダイジェスト再生コンテンツを配信することができる。
【０１５７】
また、ダイジェスト再生の処理をコンテンツ配信サーバ４側に設けることで、クライアント端末側の処理負荷を抑えられる。
【０１５８】
また、コンテンツ配信サーバ４がダイジェスト再生プレイリストを生成し、ダイジェスト再生プレイリストに従ったコンテンツを配信することで、ユーザがクライアント側でダイジェスト再生コンテンツを視聴することができる。
【０１５９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０１６０】
本発明は、例えば、コンテンツデータを蓄積可能な装置や、ネットワークに接続可能な装置である、テレビ、ＰＣ、ＤＶＤ／ＨＤＤレコーダ等のレコーダ、セットトップボックス等に適用可能である。
【図面の簡単な説明】
【０１６１】
【図１】本発明の実施の形態１に係るダイジェスト再生装置の構成を示す構成図である。
【図２】本発明の実施の形態１に係るダイジェスト再生装置内のコンテンツ管理テーブルの一例を示す図である。
【図３】本発明の実施の形態１に係るダイジェスト再生装置内のダイジェスト再生プレイリストの一例を示す図である。
【図４】本発明の実施の形態１に係るダイジェスト再生装置内の操作履歴管理テーブルの一例を示す図である。
【図５】本発明の実施の形態１に係るダイジェスト再生装置のダイジェスト再生プレイリストの生成処理を示すフローチャートである。
【図６】本発明の実施の形態１に係るダイジェスト再生装置のダイジェスト再生の開始処理を示すフローチャートである。
【図７】本発明の実施の形態１に係るダイジェスト再生装置のダイジェスト再生の停止処理を示すフローチャートである。
【図８】本発明の実施の形態１に係るダイジェスト再生装置のユーザの操作履歴の更新処理を示すフローチャートである。
【図９】本発明の実施の形態１に係るダイジェスト再生装置のダイジェスト再生プレイリストの更新処理を示すフローチャートである。
【図１０】本発明の実施の形態２に係るダイジェスト再生装置の接続例を説明するための接続図である。
【図１１】本発明の実施の形態２に係るダイジェスト再生装置によるダイジェスト再生プレイリストをネットワーク上のＡＶクライアント装置で共有する処理を説明するための説明図である。
【図１２】本発明の実施の形態３に係るダイジェスト再生装置およびコンテンツ配信サーバの接続例を説明するための接続図である。
【図１３】本発明の実施の形態３に係るダイジェスト再生装置およびコンテンツ配信サーバのダイジェスト再生コンテンツの配信処理を示すフローチャートである。
【符号の説明】
【０１６２】
１…ダイジェスト再生装置、２…ＡＶクライアント装置、４…コンテンツ配信サーバ、１０１…入力部、１０２…記憶部、１０３…コンテンツ格納部、１０４…コンテンツ管理テーブル、１０５…ダイジェスト再生プレイリスト、１０６…操作履歴管理テーブル、１０７…ダイジェスト再生設定情報管理テーブル、１０８…ダイジェスト再生プレイリスト生成部、１０９…ダイジェスト再生情報生成部、１１０…再生制御部、１１１…画面表示部、通信部１１２。
【図１】
2008306260.tif 000003
【図２】
2008306260.tif 000004
【図３】
2008306260.tif 000005
【図４】
2008306260.tif 000006
【図５】
2008306260.tif 000007
【図６】
2008306260.tif 000008
【図７】
2008306260.tif 000009
【図８】
2008306260.tif 000010
【図９】
2008306260.tif 000011
【図１０】
2008306260.tif 000012
【図１１】
2008306260.tif 000013
【図１２】
2008306260.tif 000014
【図１３】
2008306260.tif 000015